(57)【要約】      （修正有）【課題】地震発生時等において棚に載置したファイルや商品等の物品が当該棚より落下するのを防止するための載置物落下防止ネットにおいて、ネットの撓みによる落下防止機能の不確実性を補完する、載置物落下防止ネット用押止具を得る。【解決手段】先端部に略球形の頭部２ａを有したスタッドを少なくとも１本以上固定した保持板１と、前記略球形の頭部を挿入できる穴５ａと穴に連続して略球形の頭部が抜けない幅でクランク状に形成した鉤穴とを有する押止板４とにて構成し、保持板を複数の上下棚板６で形成される載置空間の中央段の棚板の前面横方向に複数個固定し、載置空間の前面全体にネット８を張設して覆った後、押止板を保持板に鉤着してネットを挟み込むことにより、ネットの撓みを抑えて棚に載置した物品の落下を防止する。【選択図】図１
0003186342.tif 000002
【実用新案登録請求の範囲】
【請求項１】
先端部に略球形の頭部を有したスタッドを少なくとも１本以上固定した保持板と、前記略球形の頭部を挿入できる穴と当該穴に連続して前記略球形の頭部が抜けない幅でクランク状に形成した鉤穴とを有する押止板とにて構成し、前記保持板を複数の上下棚板で形成される載置空間の中央段の棚板の前面横方向に複数個固定し、前記載置空間の前面全体にネットを張設して覆った後、前記押止板を前記保持板に鉤着してネットを挟み込むことにより、ネットの撓みを抑えて棚に載置した物品の落下が防止できる構造としたことを特徴とする、載置物落下防止ネット用押止具。
【考案の詳細な説明】
【技術分野】
【０００１】  本考案は、地震発生時等において棚に載置したファイルや商品等の物品が当該棚より落下するのを防止するための載置物落下防止ネットにおいて、該ネットの撓みによる落下防止機能の不確実性を補完する、載置物落下防止ネット用押止具に関するものである。
【背景技術】
【０００２】  従来、オフィスや工場を始めあらゆる場所においてファイルや商品等の物品を木製棚やスチール製棚に載置して整理保管している。【０００３】  地震発生時等において上記棚に載置したファイルや商品等の物品が当該棚より落下するのを防止するための方法として、当該棚自体が転倒するのを防止すべく、棚の支柱や天板をワイヤーや金具等により床や壁等に固定していた。【０００４】  しかしながら、上記方法では大きな地震、特に横揺れが激しい地震の場合、棚自体は床や壁等に固定されて転倒しなくとも、棚板に載置したファイルや商品等の物品が落下する危険性がある。このような危険性を防止すべく、本願出願人による実用新案登録第３１７０５３９号公報の考案の名称「載置物落下防止具」では、上下棚板で形成される載置空間の略中間の高さにおいて、オス側ワンタッチバックルを係着したベルトとメス側ワンタッチバックルを係着したベルトをそれぞれ左右の側板（支柱）に固定し、前記それぞれのワンタッチバックルを嵌着したときに緩みなく左右の側板（支柱）間の前面にベルトを張設して載置物の落下防止を図ることを特徴とした、載置物落下防止具について記載した。【０００５】
【特許文献１】実用新案登録第３１７０５３９号
【考案の開示】
【考案が解決しようとする課題】
【０００６】  上記公報において、載置物としてファイルや書籍等を対象とした場合には特に問題はなかったが、棚板とベルト間の高さよりも低い物品を載置した場合には全く機能しないという問題点があった。該問題点を解決するにはベルトの固定位置を低くしたり複数のベルトを張設するなどが考えられるが、確実性やコスト面で現実的ではなかった。このため、複数の上下棚板で形成される載置空間の前面全体にネットを張設して覆う方法であれば載置物の高さやコストを考慮する必要はなく現実的となる。しかしながら、ネット自体はナイロン製のため撓みが生じやすく、ネットの中央部においては特に顕著となる。このため、比較的小型且つ重量のある物品を載置した場合、当該物品がネットを押し出して撓んだ隙間より落下することが予想される。【０００７】  本考案は、上記問題点を解決するために成されたものであり、地震発生時等において棚に載置したファイルや商品等の物品が当該棚より落下するのを防止するための載置物落下防止ネットにおいて、該ネットの撓みによる落下防止機能の不確実性を補完する、載置物落下防止ネット用押止具を提供することを目的とする。
【課題を解決するための手段】
【０００８】  上記課題を解決するため、本考案の載置物落下防止ネット用押止具は、先端部に略球形の頭部を有したスタッドを少なくとも１本以上固定した保持板と、前記略球形の頭部を挿入できる穴と当該穴に連続して前記略球形の頭部が抜けない幅でクランク状に形成した鉤穴とを有する押止板とにて構成し、前記保持板を複数の上下棚板で形成される載置空間の中央段の棚板の前面横方向に複数個固定し、前記載置空間の前面全体にネットを張設して覆った後、前記押止板を前記保持板に鉤着してネットを挟み込むことにより、ネットの撓みを抑えて棚に載置した物品の落下が防止できる構造とする。
【考案の効果】
【０００９】  本考案の載置物落下防止ネット用押止具を用いれば、震発生時等において棚に載置したファイルや商品等の物品が当該棚より落下するのを防止すべく、複数の上下棚板で形成される載置空間の前面全体にネットを張設して覆う方法を採った際に、当該ネットの撓みによる落下防止機能の不確実性を補完し、ネットの撓みを抑えて棚に載置した物品の落下を確実に防止することができるという効果を奏する。
【考案を実施するための最良の形態】
【００１０】  本考案を実施するための最良の形態を図を用いて説明する。【００１１】  図２は本考案の載置物落下防止ネット用押止具を構成する保持板の外形図であり、（ａ）は正面図、（ｂ）は平面図である。該図に示すように、保持板１は先端部に略球形の頭部２ａを有したスタッド２ｂを少なくとも１本以上固定して構成する。該保持板１は後述するように棚板の前面横方向に固定するため、裏面に両面テープ３を予め貼着しておくと作業性が向上して好適となる。なお、両面テープ３による固定方法以外に、ネジ止め等による方法であっても構わない。また、図３は本考案の載置物落下防止ネット用押止具を構成する押止板の外形図であり、（ａ）は正面図、（ｂ）は平面図である。該図に示すように、押止板４は前記略球形の頭部２ａを挿入できる穴５ａと当該穴５ａに連続して前記略球形の頭部２ａが抜けない幅でクランク状に形成した鉤穴５ｂとを有して構成する。該鉤穴５ｂは後述するようにネットを挟み込んだ押止板４の脱落を防止するための構造であり、その形状等は図示したものに限定するものではない。【００１２】  図４は本考案の載置物落下防止ネット用押止具を実装しない状態の棚の正面図であり、地震発生時等において棚に載置したファイルや商品等の物品が当該棚より落下するのを防止するための載置物落下防止ネットとして、複数の上下棚板６で形成される載置空間の前面全体にネット８を張設して棚の前面を覆った状態を示している。ネット８の底辺部と上辺部はターポリンベルト１０で補強されており、底辺部は底部の棚板６の前面横方向の数ヶ所をボルト９で固定する。また、上辺部は当該上辺部のさらに上部にある棚板６の前面横方向の３ケ所をワンタッチバックル１１で張設する。前記ワンタッチバックル１１による張設方法は棚板６への物品１２の出し入れを容易に行うためであるが、該方法に限定することなく他の方法であっても構わない。【００１３】  該状態において地震（特に横揺れが激しい地震）等が発生すると、ネット８の中央部（符号Ａで示す鎖線部）に載置した物品１２はネット８を前方に押し出して撓み、該撓んだ隙間より物品１２が落下してしまうことになる。【００１４】  図５は本考案の載置物落下防止ネット用押止具を実装した状態の棚の正面図であり、地震発生時等において棚に載置したファイルや商品等の物品が当該棚より落下するのを防止するための載置物落下防止ネットとして、複数の上下棚板６で形成される載置空間の前面全体にネット８を張設して棚の前面を覆うと共に、複数の上下棚板６で形成される載置空間の中央段の棚板６の前面横方向に固定した複数個の保持板１に、押止板４を鉤着してネット８を挟み込んだ状態を示している。【００１５】  図１は本考案の載置物落下防止ネット用押止具の使用手順を示した図である。（ａ）は複数の上下棚板６で形成される載置空間の前面全体にネット８を張設して棚の前面を覆うと、該ネット８の網目が自然に保持板１の前面に掛かる状態を示している。（ｂ）は保持板１に固定されたスタッド２ｂの先端の頭部２ａに押止板４の穴５ａを挿入し、クランク状に形成した鉤穴５ｂに沿って押止板４を鉤着した状態を示している。該手順により、押止板４にてネット８を挟み込むことができる。【００１６】  上記状態において地震（特に横揺れが激しい地震）等が発生すると、ネット８の中央部に載置した物品１２はネット８を前方に押し出そうとするが、ネット８の中央部には複数の押止板４にて棚板６に鉤着されているため撓むことが無く若しくは最小限に抑えられるため、隙間も発生することなく物品１２の落下を防止することができることになる。【００１７】  なお、上記にて説明した載置物落下防止ネット用押止具を構成する保持板１と押止板４の形状や構造に関する権利内容は、実施例に限定することなく同等の機能を有する全てのものを包含するものである。
【図面の簡単な説明】
【００１８】
【図１】本考案の載置物落下防止ネット用押止具の使用手順を示した図である。
【図２】本考案の載置物落下防止ネット用押止具を構成する保持板の外形図である。
【図３】本考案の載置物落下防止ネット用押止具を構成する押止板の外形図である。
【図４】本考案の載置物落下防止ネット用押止具を実装しない状態の棚の正面図である。
【図５】本考案の載置物落下防止ネット用押止具を実装した状態の棚の正面図である。
【符号の説明】
【００１９】  １  保持板
２ａ  頭部
２ｂ  スタッド
３  両面テープ
４  押止板
５ａ  穴
５ｂ  鉤穴
６  棚板
７  支柱
８  ネット
９  ボルト
１０  ターポリンベルト
１１  ワンタッチバックル
１２  物品
【図１】
0003186342.tif 000003
【図２】
0003186342.tif 000004
【図３】
0003186342.tif 000005
【図４】
0003186342.tif 000006
【図５】
0003186342.tif 000007